(57)【要約】 【課題】電線に対する不正行為を抑制するとともに、電線と電線側コネクタとの間で接続不良がない遊技機を容易に製造することができる遊技機を提供する。【解決手段】基板１２、４８、１６４、２０２に対して電気的に接続する電線３００と、電線３００に接続する電線側コネクタ７１ａ、１１７a、１１７b、１７１，２１４と、開口部３０４ａに電線３００が挿通する挿通部材３０４と、を有する遊技機であって、挿通部材３０４の開口部３０４ａの寸法Ｄが、電線側コネクタ７１ａ、１１７a、１１７b、１７１，２１４の挿通が可能な程度に設定されていることを特徴とする。【選択図】      図２７
2014033905.tif 000002
【特許請求の範囲】
【請求項１】
基板に対して電気的に接続する電線と、前記電線に接続する電線側コネクタと、開口部に前記電線が挿通する挿通部材と、を有する遊技機であって、
前記挿通部材の開口部の寸法が、前記電線側コネクタの挿通が可能な程度に設定されていることを特徴とする遊技機。
【請求項２】
前記挿通部材の開口部の寸法が、前記電線側コネクタが前記電線に対して向きを変更させたことにより挿通可能な程度に設定されていることを特徴とする請求項１に記載の遊技機。
【請求項３】
前記挿通部材の開口部の寸法が、前記電線側コネクタの長手方向が前記電線の長手方向に対して略平行になるように、前記電線側コネクタの向きを変更させたことにより挿通可能な程度に設定されていることを特徴とする請求項２に記載の遊技機。
【請求項４】
前記電線の長手方向両側端部に前記電線側コネクタが取り付けられた状態で、前記電線及び前記電線側コネクタを前記挿通部材に挿通させた後、前記電線を前記基板に電気的に接続したことを特徴とする請求項１乃至３のいずれか１項に記載の遊技機。
【請求項５】
前記電線は、複数の信号線が束状に構成されており、
複数の各信号線の色が同じ色に着色されていることを特徴とする請求項１乃至４のいずれか１項に記載の遊技機。
【発明の詳細な説明】
【技術分野】
【０００１】
本発明は、例えば、パチンコ機やスロットマシンなどの遊技機に関する。
【背景技術】
【０００２】
従来の遊技機では、各基板を収容する基板ケースを備えている。例えば、主制御基板を収容する基板ケースと、サブ制御基板（副制御基板）を収容する基板ケースと、が存在するが、両基板の間にはコマンド信号を送受信するための複数の電線（例えば、ワイヤハーネスなど）が電気的に接続されている。
【０００３】
ところで、近年、前記電線に対して不正な信号を付与する不正行為が横行している現実がある。
【０００４】
このため、従来の遊技機では、透明の軟性樹脂で形成されたチューブに複数の電線を束にして挿通することにより、電線に対する直接の不正行為を防止している（特許文献１参照）。
【０００５】
この場合には、複数の電線の長手方向両側端部には、各基板に接続するための電線側コネクタが取り付けられているため、電線側コネクタをチューブの内部に挿通することができない。このため、先ず、複数の電線の長手方向一方側端部に一方の電線側コネクタを取り付けて、電線を一方の電線側コネクタ側と反対側からチューブに挿通し、その後、複数の電線の長手方向他方側端部に他方の電線側コネクタを取り付ける必要がある。
【先行技術文献】
【特許文献】
【０００６】
【特許文献１】特開２００８−２２９１６８号公報
【発明の概要】
【発明が解決しようとする課題】
【０００７】
しかしながら、複数の電線の長手方向他方側端部に対して他方の電線側コネクタを取り付ける際に、複数の電線のうちのどの線を電線側コネクタのどの接続端子に接続すれば良いのかの判断が困難になる問題がある。これにより、電線と電線側コネクタとの接続不良が発生するおそれがある。
【０００８】
また、仮に、複数の電線と電線側コネクタの接続端子とを正確に接続することができたとしても、その接続工程の分だけ遊技機の製造工程が増加する。特に、接続工程に要する時間と労力が大きくなり過ぎ、作業者の負担が増大する。このように、遊技機の製造効率が大幅に悪化するおそれがある。
【０００９】
なお、上記課題は、主制御基板とサブ制御基板（副制御基板）との間を電気的に接続する電線（例えば、ワイヤハーネスなど）に限られるものではなく、電源供給や信号通信が必要となる全ての基板同士を電気的に接続するための電線に対しても同じである。
【００１０】
そこで、本発明は、上記問題点に鑑み、電線に対する不正行為を抑制するとともに、電線と電線側コネクタとの間で接続不良がない遊技機を容易に製造することができる遊技機を提供することを目的とする。
【課題を解決するための手段】
【００１１】
請求項１の発明は、基板に対して電気的に接続する電線と、前記電線に接続する電線側コネクタと、開口部に前記電線が挿通する挿通部材と、を有する遊技機であって、前記挿通部材の開口部の寸法が、前記電線側コネクタの挿通が可能な程度に設定されていることを特徴とする。
【００１２】
これにより、挿通部材の開口部の寸法が電線側コネクタの挿通が可能な程度に設定されているため、電線の両側に電線側コネクタを接続した状態で挿通部材に挿通させることができる。このため、電線を挿通部材に挿通させた後において、電線と電線側コネクタとの間を接続させる接続工程が不要になる。この結果、電線に対する不正行為を抑制するとともに、電線と電線側コネクタとの間の接続不良を防止し、かつ遊技機の製造作業の効率の向上させることができる。
【００１３】
請求項２の発明は、請求項１に記載の発明において、前記挿通部材の開口部の寸法が、前記電線側コネクタが前記電線に対して向きを変更させたことにより挿通可能な程度に設定されていることを特徴とする。
【００１４】
これにより、挿通部材の開口部の寸法が、電線側コネクタが電線に対して向きを変更させたことにより挿通可能な程度に設定されているため、電線側コネクタの電線に対する向きを変更させることにより、電線に電線側コネクタを接続させた状態で、挿通部材に挿通させることができる。
【００１５】
請求項３の発明は、請求項２に記載の発明において、前記挿通部材の開口部の寸法が、前記電線側コネクタの長手方向が前記電線の長手方向に対して略平行になるように、前記電線側コネクタの向きを変更させたことにより挿通可能な程度に設定されていることを特徴とする。
【００１６】
これにより、挿通部材の開口部の寸法が、電線側コネクタの長手方向が電線の長手方向に対して略平行になるように、電線側コネクタの向きを変更させたことにより挿通可能な程度に設定されているため、電線側コネクタの長手方向が電線の長手方向に対して略平行になるように調整することにより、電線に電線側コネクタを接続させた状態で、挿通部材に挿通させることができる。
【００１７】
請求項４の発明は、請求項１乃至３のいずれか１項に記載の遊技機において、前記電線の長手方向両側端部に前記電線側コネクタが取り付けられた状態で、前記電線及び前記電線側コネクタを前記挿通部材に挿通させた後、前記電線を前記基板に電気的に接続したことを特徴とする。
【００１８】
これにより、電線の長手方向両側端部に電線側コネクタが取り付けられた状態で、電線及び電線側コネクタを挿通部材に挿通させた後に、電線を基板に電気的に接続するだけで、各基板間の信号送受信可能状態を容易に実現することができる。
【００１９】
請求項５の発明は、請求項１乃至４のいずれか１項に記載の遊技機において、  前記電線は、複数の信号線が束状に構成されており、複数の各信号線の色が同じ色に着色されていることを特徴とする。
【００２０】
これにより、電線と電線側コネクタとの接続が予め完了した後に、電線を挿通部材に挿通させているため、電線を挿通部材に挿通させた後の電線と電線側コネクタとの接続工程が不要になる。このため、複数の各信号線の色が同じ色に着色されている構成でも、電線を挿通部材に挿通させた後の接続不良を防止できる。この結果、電線側コネクタの接続端子との対応関係を色で判別するために信号線毎に異なる色をわざわざ着色させる必要がなくなり、遊技機の製造効率を向上させることができる。
【発明の効果】
【００２１】
本発明によれば、電線に対する不正行為を抑制するとともに、電線と電線側コネクタとの間で接続不良がない遊技機を容易に製造することができる。
【図面の簡単な説明】
【００２２】
【図１】本発明の一実施形態を示すパチンコ機の全体斜視図である。
【図２】本体ケース側の正面図である。
【図３】前面パネル側の背面図である。
【図４】主制御基板ケース及びその近傍の平面断面図である。
【図５】主制御基板ケース及び取り付け台の斜視図である。
【図６】主制御基板ケースの要部背面図である。
【図７】主制御基板ケースへのコネクタカバーの装着前後の状態を示す底面断面図である。
【図８】主制御基板ケースへのコネクタカバーの装着前後の状態を示す側面断面図である。
【図９】解除規制リブによる作用説明図である。
【図１０】結束バンドの全体図である。
【図１１】中継基板ケース及びコネクタカバーの分解斜視図である。
【図１２】中継基板ケース及びコネクタカバーの斜視図である。
【図１３】中継基板ケース及びコネクタカバーの結束状態での背面図である。
【図１４】中継基板ケース及びコネクタカバーの結束状態での底面断面図である。
【図１５】中継基板ケース及びコネクタカバーの結束前後の状態を示す側面断面図である。
【図１６】スタートレバーユニット及びコネクタカバーの分解斜視図である。
【図１７】スタートレバーユニット側のコネクタカバーの斜視図である。
【図１８】スタートレバーユニット及びコネクタカバーの斜視図である。
【図１９】スタートレバーユニット及びコネクタカバーの結束状態での背面図である。
【図２０】スタートレバーユニットへのコネクタカバーの装着前後の状態を示す平面図及び要部平面断面図である。
【図２１】ストップボタンユニット及びコネクタカバーの分解斜視図である。
【図２２】ストップボタンユニット及びコネクタカバーの斜視図である。
【図２３】ストップボタンユニット及びコネクタカバーの結束状態での背面図である。
【図２４】ストップボタンユニットへのコネクタカバーの装着前後の状態を示すＡ−Ａ断面図である。
【図２５】ストップボタンユニット及びコネクタカバーの結束状態でのＢ−Ｂ断面図である。
【図２６】ハーネス及び着脱側コネクタの構成を示す説明図である。
【図２７】着脱側コネクタの向きを調整する前と調整した後の状態をそれぞれ示す説明図である。
【図２８】ハーネス及び着脱側コネクタの変形例の構成を示す説明図である。
【図２９】１個（単数）の押さえ手段が主制御基板ケースのコネクタカバー側のみに設けられた構成を示した概念図である。
【図３０】１個（単数）の押さえ手段が主制御基板ケース側のみに設けられた構成を示した概念図である。
【図３１】１個（単数）の押さえ手段が主制御基板ケース側及びコネクタカバー側の両方に、かつ相互に位相ずれして設けられた構成を示した概念図である。
【図３２】１個（単数）の押さえ手段が主制御基板ケース側及びコネクタカバー側の両方に、かつ相互に同位相に設けられた構成を示した概念図である。
【図３３】２個（複数）の押さえ手段が主制御基板ケースのコネクタカバー側のみに設けられた構成を示した概念図である。
【図３４】２個（複数）の押さえ手段が主制御基板ケース側のみに設けられた構成を示した概念図である。
【図３５】２個（複数）の押さえ手段が主制御基板ケース側及びコネクタカバー側の両方に設けられた構成を示した概念図である。
【図３６】１個（複数）の押さえ手段が挿通部材の係合孔に係合した状態を示した概念図である。
【発明を実施するための形態】
【００２３】
以下、本発明の実施形態を図面に基づいて詳述する。図１〜図３６は本発明をスロットマシンとして具現化した一実施形態を例示している。なお、実施形態では、「電線」の一例であるハーネスをあげて説明する。
【００２４】
本実施形態に示すスロットマシンは、本発明が適用された遊技機の一例に過ぎないものである。当然ながら、本発明は、スロットマシンへの適用に限られるものではなく、例えばパチンコ機などの他の遊技機に対しても広く適用することができる。
【００２５】
図１〜図３において、遊技機本体１は、本体ケース２と、この本体ケース２の前側に配置された前面パネル３と、を備えている。本体ケース２は前側が開放する箱形に形成され、その前側を開閉自在に閉鎖するように前面パネル３が装着されている。
【００２６】
本体ケース２内には、図２に示すように、上下方向中間部に中間棚４が設けられ、この中間棚４上に左右方向に沿って複数個（例えば３個）の図柄表示リール５を有する表示リールユニット６が設けられている。また、中間棚４の下側には、例えば底板７上にメダル払い出し手段８、メダル補助ケース９、電源装置１０等が設けられている。さらに、表示リールユニット６よりも上側の例えば背板１１の前側には、主として遊技に関する制御を行う主制御基板（基板）１２が収容された主制御基板ケース（収容部材）１３が設けられている。
【００２７】
メダル払い出し手段８は、図２に示すように払い出し用のメダルを貯留するメダルホッパー１４と、メダルホッパー１４内のメダルを払い出すメダル払い出し部１５と、メダルホッパー１４から溢れたメダルをメダル補助ケース９側に排出する余剰メダル排出口１６等と、を備えている。
【００２８】
図１及び図３に示すように、前面パネル３は骨格体を構成するパネル体２１を備えている。このパネル体２１は、左右一端側に設けられた上下一対のヒンジ２２，２２を介して本体ケース２に開閉自在に装着されている。前面パネル３の上部側には、第２表示窓２３、第１表示窓２４、左右一対の上スピーカ２５等が配置されている。前面パネル３の上下方向中間部には、上操作パネル部２６、前操作パネル部２７、前カバー２８等が配置されている。さらに、前面パネル３の下部側には、メダル排出口２９、メダル受け皿３０、灰皿３１、左右一対の下スピーカ３２等が配置されている。
【００２９】
第１表示窓２４は、本体ケース２側の図柄表示リール５に対応して矩形状に形成されており、遊技者はこの第１表示窓２４を介して図柄表示リール５を前側から視認可能となっている。第２表示窓２３は、前面パネル３の裏側に装着された液晶表示ユニット３３（図３参照）に対応して第１表示窓２４の上側に形成されており、遊技者はこの第２表示窓２３を介して液晶表示ユニット３３の表示画面を前側から視認可能となっている。
【００３０】
上操作パネル部２６の左右方向の一端側には、１ベットボタン３４、マックスベットボタン３５、キャンセルボタン３６が設けられている。また、上操作パネル部２６の左右方向の他端側には、遊技媒体としてのメダルを投入可能なメダル投入口３７が設けられている。
【００３１】
前操作パネル部２７には、図柄表示リール５の回転を開始させるためのスタートレバー３８を備えたスタートレバーユニット（収容部材）３９と、回転中の図柄表示リール５を夫々個別に停止させるための３つのストップボタン４０を備えたストップボタンユニット（収容部材）４１と、メダル投入口３７内に詰まったメダルを返却させるための返却ボタン４２と、が設けられている。
【００３２】
パネル体２１は前面パネル３に対応する矩形状であって、その裏側には図３に示すように各スピーカ２５，３２、液晶表示ユニット３３等の他に、メダル投入口３７から投入されたメダルの正偽を選別するメダル選別手段４３、このメダル選別手段４３を通過した真正のメダルをメダルホッパー１４へと案内するメダルシュート４４、メダル選別手段４３で排除された偽メダル及びメダル払い出し手段８で払い出されたメダルをメダル排出口２９からメダル受け皿３０へと案内するメダル案内通路４５等が設けられている。
【００３３】
液晶表示ユニット３３の裏側には、そのドライバ基板が収容されたドライバ基板ケース４６が装着されている。ドライバ基板ケース４６の裏側には、演出制御基板が収容された制御基板ケース４７が装着されている。また、前カバー２８の後側には、中継基板（基板）４８が収容された中継基板ケース（収容部材）４９が装着されている。
【００３４】
本実施形態のスロットマシンでは、基板側の固定側コネクタに接続したハーネス側の着脱側コネクタを抜き取り不能とするためのコネクタカバーを、主制御基板ケース１３、中継基板ケース４９、スタートレバーユニット３９及びストップボタンユニット４１に夫々設けている。
【００３５】
［主制御基板ケースの構成］
次に、主制御基板ケース１３の構成について説明する。
【００３６】
主制御基板ケース１３は、図４及び図５に示すように、例えば本体ケース２を構成する背板１１の前面側にネジ止め等により固定された取り付け台５１に、左右方向の一端側に配置された係合手段５２と、左右方向の他端側に配置された第１封止手段５３とを介して着脱自在に固定されている。
【００３７】
主制御基板ケース１３は、主制御基板１２を表裏両側から挟む第１ケース体５４及び第２ケース体５５と、左右方向の他端側で両ケース体５４，５５を係脱、開閉自在に結合するヒンジ手段５６と、左右方向の一端側で両ケース体５４，５５を結合して封止し且つ開封時に開封痕の残る複数個（例えば４個）の第２封止手段５７と、を備えている。
【００３８】
第１ケース体５４は略平板状であって、外周側に受け縁５８を残して起立壁５９が周方向の全周に形成されており、その起立壁５９内に、裏面側を第１ケース体５４に向けた状態で主制御基板１２が配置されている。第２ケース体５５は、第１ケース体５４側が開放する蓋状であり、外周側の周壁６１とその周壁６１に一体の背壁６２とを有している。背壁６２には主制御基板１２の電子部品６３に対応する中央部分に膨出部６４が、その左右両端側には凹部６５，６６が夫々形成されている。第２ケース体５５は、第１ケース体５４の起立壁５９の外側に嵌合して、その周壁６１の開口端縁が第１ケース体５４の受け縁５８に当接している。
【００３９】
膨出部６４は多数の放熱孔を有し、主制御基板１２の電子部品６３を覆うようになっている。凹部６５，６６の底部６７は主制御基板１２の表面に当接し、その底部６７には主制御基板１２側の固定側コネクタ６８を露出させるためのコネクタ孔６９が、例えば各固定側コネクタ６８に夫々対応するように複数形成されている。
【００４０】
左側の凹部６５は、膨出部６４の左縁部に沿って上下方向に配置される縦凹部６５ａと、この縦凹部６５ａの下端側から膨出部６４の下縁部に沿って右向きに延設される横凹部６５ｂとで構成されており、夫々１個又は複数個、例えば縦凹部６５ａ側に４個、横凹部６５ｂ側に１個の固定側コネクタ６８が配置されている。また、右側の凹部６６は、膨出部６４の右縁部に沿って上下方向に配置されており、１個又は複数個、例えば４個の固定側コネクタ６８が配置されている。
【００４１】
主制御基板ケース１３に設けられている固定側コネクタ６８は、例えば何れも主制御基板１２の板面に対して垂直に取り付けられており、ハーネス３００の着脱側コネクタ７１が着脱可能に接続されるようになっている。なお、主制御基板１２は第１ケース体５４と第２ケース体５５とで挟持され、主制御基板ケース１３内に位置決め突起等により固定されている。
【００４２】
また、主制御基板ケース１３には、主制御基板１２に設けられた複数の固定側コネクタ６８のうち、例えば横凹部６５ｂ内に配置された固定側コネクタ６８ａに対応してコネクタカバー（カバー部材）７３が着脱自在に装着されている。
【００４３】
コネクタカバー７３は、図５〜図８に示すように、左右方向に長い略矩形状に形成された天板７４と、この天板７４の周囲を取り囲む下側・左側・右側の側壁７５ｂ〜７５ｄとで底面側が開放した箱形に形成され、固定側コネクタ６８ａとこれに接続された着脱側コネクタ（電線側コネクタ）７１ａとに覆い被せることが可能な程度の大きさに形成されている。
【００４４】
天板７４の周囲の一部を形成する上側に側壁が設けられていないのは、固定側コネクタ６８ａに接続される着脱側コネクタ７１ａ側のハーネス３００を引き出すためのハーネス引出部を形成するためである。
【００４５】
なお、上側の側壁を設け、その側壁に固定側コネクタ６８ａに接続される着脱側コネクタ７１ａ側のハーネス３００を引き出すための開口部を形成し、当該開口部をハーネス引出部として構成してもよい。
【００４６】
ここで、天板７４から開放端側までの寸法は、凹部６５に対する膨出部６４の高さ、即ち凹部６５の底部６７から膨出部６４の背面６４ａまでの寸法よりも大きくなるように設定されている。
【００４７】
具体的には、コネクタカバー７３には、例えば天板７４から膨出部６４の背面６４ａに沿って締結支持板９１が突設されている。締結支持板９１の膨出部６４の背面６４ａ側の面には、ハーネス３００を覆うチューブ３０４を押さえる押さえ手段３１０が設けられている。
【００４８】
押さえ手段３１０は、引張り等によりハーネス３００を覆うチューブ３０４の位置ずれ（具体的には、ハーネス３００に対するチューブ３０４の相対移動）を防止する位置ずれ防止手段としても機能するし、さらにはチューブ３０４に引っ掛けてチューブ３０４の移動を阻止する係合手段としても機能する。
【００４９】
押さえ手段３１０は、締結支持板９１に一体形成されていてもよいし、締結支持板９１に対して固定バンド等により別途取り付けてもよい。
【００５０】
（押さえ手段の構成）
次に、押さえ手段３１０の構成について、概念図を用いて詳細に説明する。
【００５１】
図８及び図２９に示すように、押さえ手段３１０は、締結支持板９１と膨出部６４の背面６４ａ側の面との間で、チューブ３０４を押さえるように設計されている。なお、「押さえ手段」について、説明の便宜上、主制御基板ケース及びそのコネクタカバーに設けられている「押さえ手段」を『第１押さえ手段』と定義する。
【００５２】
ここで、図２９に示すように、第１押さえ手段３１２は、締結支持板９１側のみに設けられている構成でもよい。あるいは、図３０に示すように、第１押さえ手段３１２は、膨出部６４の背面６４ａ側のみに設けられている構成でもよい。さらには、図３１及び図３２に示すように、第１押さえ手段３１２は、締結支持板９１側及び膨出部６４の背面６４ａ側の両方に設けられている構成でもよい。
【００５３】
図３３〜図３５に示すように、第１押さえ手段３１２は、締結支持板９１側又は膨出部６４の背面６４ａ側に、単数（１個）だけ設けられていてもよいし、あるいは複数個設けられていてもよい。
【００５４】
第１押さえ手段３１２が複数個設けられる構成では、第１押さえ手段３１２は、ハーネス３００の長手方向あるいはチューブ３０４の長手方向に沿って並んで形成されている態様（直列態様）でもよい。また、第１押さえ手段３１２は、ハーネス３００の長手方向あるいはチューブ３０４の長手方向に対して直交する方向に沿って並んで形成されている態様（並列態様）でもよい。
【００５５】
第１押さえ手段３１２の一例として、例えば、チューブ３０４に当接する突起部が好ましい。突起部の先端が尖っているため、チューブ３０４を引っ掛けることが可能になる。
【００５６】
また、図３６に示すように、チューブ３０４の表面に、第１押さえ手段３１２の先端と係合する単数又は複数の係合孔３０６を形成してもよい。これにより、第１押さえ手段３１２の先端が係合孔３０６で係合することにより、第１押さえ手段３１２とチューブ３０４との一体性が増すため、チューブ３０４が第１押さえ手段３１２に対して位置ずれすることを防止できる。
【００５７】
さらに、第１押さえ手段３１２が締結支持板９１側と膨出部６４の背面６４ａ側にそれぞれ設けられている構成では、締結支持板９１側の第１押さえ手段３１２と膨出部６４側の第１押さえ手段３１２とは、チューブ３０４の長手方向に沿って相互に偏移した位置（位相ずれの位置）に設けられている構成（図３１参照）でもよく、あるいはチューブ３０４の長手方向に対して直交する方向に延びる同軸上の位置（同位相の位置）に設けられている構成（図３２参照）でもよい。
【００５８】
（押さえ手段の寸法設定）
次に、押さえ手段３１０の寸法設定について説明する。以下の説明では、第１押さえ手段３１２が締結支持板９１側のみに設けられている構成と、第１押さえ手段３１２が膨出部６４の背面６４ａ側のみに設けられている構成と、第１押さえ手段３１２が締結支持板９１側と膨出部６４の背面６４ａ側の両方が設けられている構成の３つの態様について分けて説明する。
【００５９】
＜第１押さえ手段３１２が締結支持板９１側のみに設けられている構成＞
この構成では、図２９に示すように、締結支持板９１側の第１押さえ手段３１２の先端部から膨出部６４の背面６４ａ側の面までの最短直線距離寸法（以下、単に「離間距離寸法」という）Ｓ１は、束状のハーネス４００の太さよりも小さくなるように設定されている。さらには、前記離間距離寸法Ｓ１は、ハーネス３００を挿通したチューブ３０４の太さＴよりも小さくなることが好ましい。
【００６０】
例えば、前記離間距離寸法Ｓ１は、チューブ３０４が丸形状であれば、チューブ３０４の直径よりも小さく設定され、チューブ３０４が角形状であれば、チューブ３０４の短い側の辺の長さよりも小さく設定されている。これにより、第１押さえ手段３１２は、膨出部６４の背面６４ａ側との間でハーネス３００及びチューブ３０４を挟持する挟持部として機能する。
【００６１】
＜第１押さえ手段３１２が膨出部６４の背面６４ａ側のみに設けられている構成＞
この構成では、図３０に示すように、膨出部６４の背面６４ａ側の第１押さえ手段３１２の先端部から締結支持板９１側の面までの最短直線距離寸法（以下、単に「離間距離寸法」という）Ｓ２は、束状のハーネス３００の太さよりも小さくなるように設定されている。さらには、前記離間距離寸法Ｓ２は、ハーネス３００を挿通したチューブ３０４の太さＴよりも小さくなることが好ましい。
【００６２】
例えば、前記離間距離寸法Ｓ２は、チューブ３０４が丸形状であれば、チューブ３０４の直径よりも小さく設定され、チューブ３０４が角形状であれば、チューブ３０４の短い側の辺の長さよりも小さく設定されている。これにより、第１押さえ手段３１２は、締結支持板９１側との間でハーネス３００及びチューブ３０４を挟持する挟持部として機能する。
【００６３】
＜第１押さえ手段３１２が締結支持板９１側と膨出部６４の背面６４ａ側の両方が設けられている構成＞
締結支持板９１側の第１押さえ手段３１２と膨出部６４の背面６４ａ側の第１押さえ手段３１２とがハーネス３００及びチューブ３０４の軸方向に位置ずれしている場合（図３１参照）には、図３１に示すように、締結支持板９１側の第１押さえ手段３１２の先端部から膨出部６４の背面６４ａ側の面までの最短直線距離寸法（以下、単に「離間距離寸法」という）Ｓ３は、束状のハーネス３００の太さよりも小さくなるように設定されている。さらには、前記離間距離寸法Ｓ３は、ハーネス３００を挿通したチューブ３０４の太さＴよりも小さくなることが好ましい。
【００６４】
例えば、前記離間距離寸法Ｓ３は、チューブ３０４が丸形状であれば、チューブ３０４の直径よりも小さく設定され、チューブ３０４が角形状であれば、チューブ３０４の短い側の辺の長さよりも小さく設定されている。これにより、第１押さえ手段３１２は、膨出部６４の背面６４ａ側との間でハーネス３００及びチューブ３０４を挟持する挟持部として機能する。
【００６５】
また、膨出部６４の背面６４ａ側の第１押さえ手段３１２の先端部から締結支持板９１側の面までの最短直線距離寸法（以下、単に「離間距離寸法」という）Ｓ４は、束状のハーネス３００の太さよりも小さくなるように設定されている。さらには、前記離間距離寸法Ｓ４は、ハーネス３００を挿通したチューブ３０４の太さＴよりも小さくなることが好ましい。
【００６６】
例えば、前記離間距離寸法Ｓ４は、チューブ３０４が丸形状であれば、チューブ３０４の直径よりも小さく設定され、チューブ３０４が角形状であれば、チューブ３０４の短い側の辺の長さよりも小さく設定されている。これにより、第１押さえ手段３１２は、締結支持板９１側との間でハーネス３００及びチューブ３０４を挟持する挟持部として機能する。
【００６７】
さらに、締結支持板９１側の第１押さえ手段３１２と膨出部６４の背面６４ａ側の第１押さえ手段３１２とがハーネス３００及びチューブ３０４の軸方向に位置ずれしていない場合（図３２参照）には、図３２に示すように、締結支持板９１側の第１押さえ手段３１２の先端部から膨出部６４の背面６４ａ側の第１押さえ手段３１２の先端部までの最短直線距離寸法（以下、単に「離間距離寸法」という）Ｓ５は、束状のハーネス３００の太さよりも小さくなるように設定されている。さらには、前記離間距離寸法Ｓ５は、ハーネス３００を挿通したチューブ３０４の太さＴよりも小さくなることが好ましい。
【００６８】
例えば、前記離間距離寸法Ｓ５は、チューブ３０４が丸形状であれば、チューブ３０４の直径よりも小さく設定され、チューブ３０４が角形状であれば、チューブ３０４の短い側の辺の長さよりも小さく設定されている。これにより、第１押さえ手段３１２は、相対する第１押さえ手段３１２の間でハーネス３００及びチューブ３０４を挟持する挟持部として機能する。
【００６９】
図５に示すように、左右の側壁７５ｃ，７５ｄには、例えばその開放端側から天板７４側に向けて上下一対のスリット７６，７６が形成されており、そのスリット７６，７６間が係合片７７となっている。これら左右一対の係合片７７は、コネクタカバー７３を主制御基板ケース１３側に係合させるためのもので、その外面側に係合爪（係合部）７７ａが設けられている。
【００７０】
また、コネクタカバー７３内には、離脱規制リブ（離脱規制部）８１と解除規制リブ
（ロック解除阻止部）８２とが設けられている。離脱規制リブ８１は、固定側コネクタ６８ａに接続された着脱側コネクタ７１ａにその離脱方向から略当接することにより着脱側コネクタ７１ａの離脱方向への移動を規制するものであり、例えば左右の側壁７５ｃ，７５ｄ間に複数枚、例えば３枚設けられ、その先端側縁部が着脱側コネクタ７１ａの背面８３に略当接している。
【００７１】
なお、離脱規制リブ８１は、着脱側コネクタ７１ａ側のハーネスに干渉しない位置に設けられている。
【００７２】
解除規制リブ８２は、着脱側コネクタ７１ａ側に設けられたロック手段８４（図９参照）の解除方向への移動を規制するためのものである。ロック手段８４（図９参照）は、着脱側コネクタ７１ａの固定側コネクタ６８ａへの接続状態を解除可能にロックするためのものであり、例えば着脱側コネクタ７１ａの左右両端に設けられている。各ロック手段８４は、図９に示すように、ロック爪８５と操作部８６とを両端側に一体に備え且つその中間部において揺動軸８７により着脱側コネクタ７１ａ側に揺動自在に支持されており、ロック爪８５が固定側コネクタ６８ａ側の被係合部８８に係合するロック状態からロック解除状態に移行する際、揺動軸８７廻りに揺動して操作部８６が着脱側コネクタ７１ａの離脱方向に移動するようになっている。
【００７３】
解除規制リブ８２は、左右のロック手段８４に対応して例えば離脱規制リブ８１の左右両側に平行に配置されており、その先端側縁部８２ａが、ロック状態にあるロック手段８４の操作部８６にその解除方向から略当接している。なお、ロック手段８４はその他の種々の構成を採用できるが、解除規制リブ８２は、ロック手段８４の動作に応じて、その解除方向に略当接して解除方向への移動を規制するように構成すればよい。従って、例えばロック状態からロック解除状態に移行する際に操作部８６が左右方向外側に移動するロック手段８４を採用する場合には、操作部８６の左右方向外側に略当接するように解除規制リブ８２を設ければよい。
【００７４】
また、図５〜図８に示すように、コネクタカバー７３には、例えば天板７４から膨出部６４の背面６４ａに沿って締結支持板９１が突設されており、この締結支持板９１に、その背面側に向けて突出する第１締結部９２と、この第１締結部９２に隣接して設けられ且つ主制御基板ケース１３側の第２締結部９３が挿通可能な挿通孔９４と、が設けられている。第１締結部９２は、例えば中央に開口部９２ａが形成された門型状で、締結支持板９１に一体に設けられている。
【００７５】
また、主制御基板ケース１３側には、コネクタカバー７３を着脱自在に装着可能なコネクタカバー装着部９５が設けられている。即ち、第２ケース体５５には、固定側コネクタ６８ａの左側方に、横凹部６５ｂと縦凹部６５ａとを仕切るように案内リブ９６が設けられており、図６に示すように、コネクタカバー７３の側壁７５ｂ〜７５ｃの外周面を取り囲むように配置された横凹部６５ｂの三方の側壁９７ａ，９７ｂ，９７ｃと案内リブ９６とでコネクタカバー装着部９５が構成されている。
【００７６】
なお、案内リブ９６は、固定側コネクタ６８ａの凹部６５内の位置等に応じて適宜配置すればよい。例えば固定側コネクタ６８ａが凹部６５の端部から離れた位置に配置されている場合には、その両側に案内リブ９６を配置すればよい。また、例えば固定側コネクタ６８ａが凹部６５の各側壁から離れている場合には、固定側コネクタ６８ａの四方を取り囲むように案内リブ９６を設けてもよい。
【００７７】
また、固定側コネクタ６８ａの左右両側に対応する案内リブ９６及び側壁９７ｂには、コネクタカバー７３側の係合爪７７ａが係合可能な切欠部、段差部等よりなる被係合部９８ａ，９８ｂが形成されている。本実施形態では、案内リブ９６側の被係合部９８ａは段差部、側壁９７ｂ側の被係合部９８ｂは切欠部により構成されている。なお、被係合部９８ａ，９８ｂに係合した各係合爪７７ａの周辺部は、案内リブ９６及び側壁９７ｂがコネクタカバー７３の左右の側壁７５ｃ，７５ｄに略密着した状態となるため、係合爪７７ａを解除方向に操作することは困難で、コネクタカバー装着部９５に装着したコネクタカバー７３はいわゆる嵌め殺しの状態となる。
【００７８】
また、第２ケース体５５には、コネクタカバー７３側の第１締結部９２に対応するように、例えば膨出部６４の背面６４ａ上に第２締結部９３が一体形成されている。第２締結部９３は、例えば第１締結部９２と同様、中央に開口部９３ａが形成された門型状であり、コネクタカバー７３を第２ケース体５５のコネクタカバー装着部９５に装着したとき、締結支持板９１の挿通孔９４に嵌合して、第１締結部９２と略重なる位置及び大きさに形成されている。
【００７９】
また、コネクタカバー装着部９５に装着されたコネクタカバー７３は、第１締結部９２と第２締結部９３とを結束バンド（締結手段）９９により抜脱不能に結束される。この結束バンド９９は、図１０に示すように、例えば凹凸が形成されたバンド部９９ａと、このバンド部９９ａを挿通可能に構成され且つバンド部９９ａの凹凸に噛合するラチェット爪を備えたヘッド部９９ｂと、を備えている。ヘッド部９９ｂには、特有の識別標識、例えば「ＦＵＪＩ」の文字が刻印等により付されたタグ９９ｃが一体形成され、一般に流通している結束バンドと差別化されている。
【００８０】
このような結束バンド９９で主制御基板ケース１３とコネクタカバー７３とを結束すれば、この結束バンド９９を切断して主制御基板ケース１３からコネクタカバー７３を取り外したとしても、全く同じ結束バンド９９が手に入らないために元通りに戻すことは不可能であり、「打ち込み機」等の不正部品の接続による不正行為を効果的に防止でき、また万一そのような不正行為が行われた場合でも確実に発見することができる。
【００８１】
（ハーネス及び着脱側コネクタの構成）
次に、ハーネス及び着脱側コネクタの構成について説明する。
【００８２】
図２６に示すように、ハーネス３００は、複数の信号線３０２が束状になって構成されている。全ての信号線３０２は、同じ色に着色されているが、これに限られるものではない。しかしながら、全ての信号線３０２を全て同じ色に着色することにより、製造効率を向上させることができる。
【００８３】
ハーネス３００の軸方向（長手方向（図２６中矢印Ｘ方向））両側端部には、着脱側コネクタ７１ａがそれぞれ取り付けられている。ハーネス３００を構成する全ての信号線３０２が着脱側コネクタ７１ａのそれぞれ対応する接続端子に対して予め正確に接続されている。両側に着脱側コネクタ７１ａが接続された状態で、ハーネス３００及び着脱側コネクタ７１ａがチューブ３０４に挿通される。
【００８４】
着脱側コネクタ７１ａに接続済みのハーネス３００がチューブ３０４に挿通された状態で、ハーネス両側の着脱側コネクタ７１ａが各基板に電気的に接続されている。例えば、一方の着脱側コネクタ７１ａが主制御基板１２に電気的に接続された構成では、他方の着脱側コネクタ７１ａがサブ制御基板（副制御基板）に対して電気的に接続される。
【００８５】
なお、ハーネス３００の両方の着脱側コネクタ７１ａは、主制御基板とサブ制御基板との間を電気的に接続する構成に限られず、遊技機に用いられる様々な基板同士を電気的に接続する。このため、各基板同士を接続する全てのハーネス３００の構成に対して、本発明が適用される。
【００８６】
チューブ３０４は、筒状（円筒状あるいは角筒状）に構成されており、開口部３０４ａを有している。また、チューブ３０４は、透明の樹脂製のものでもよく、電磁波や外部からの不正信号を遮蔽する材質のもので構成してもよい。
【００８７】
チューブ３０４の長さ寸法は、ハーネス３００の長さ寸法（長手方向長さ）と略同じ長さとなるように設定されていてもよいし、ハーネス３００の長さ寸法（長手方向長さ）よりも若干短くなるように構成してもよい。
【００８８】
ここで、チューブ３０４の開口部３０４ａの寸法Ｄは、ハーネス３００に接続した状態でハーネス３００及び着脱側コネクタ７１ａの挿通が可能な程度に設定されている。換言すれば、チューブ３０４の開口部３０４ａの寸法Ｄ（例えば、円筒状であれば開口部３０４ａの径方向寸法、角筒状であれば開口部３０４ａの最大開口幅寸法）は、複数の信号線３０２が束になったときの長手方向に対して直交する方向の寸法Ｅよりも大きくなるように設定されている。
【００８９】
また、同時に、チューブ３０４の開口部３０４ａの寸法Ｄは、着脱側コネクタ７１ａの最大寸法よりも大きくなるように設定されていてもよいし、着脱側コネクタ７１ａの最小寸法よりも大きくなる程度に設定されていてもよい。例えば、着脱側コネクタ７１ａが直方体形状で構成されている場合では、チューブ３０４の開口部３０４ａの寸法Ｄは、着脱側コネクタ７１ａの長手方向寸法Ｆ１よりも大きくなるように設定されていてもよいし、あるいは着脱側コネクタ７１ａの長手方向に対して直交する方向の短辺寸法Ｆ２よりも大きくなる程度に設定されていてもよい。
【００９０】
具体的には、図２７（ａ）、（ｂ）に示すように、チューブ３０４の開口部３０４ａの寸法Ｄが、着脱側コネクタ７１ａがハーネス３００に対して向きを変更させたことにより挿通可能な程度に設定されていることが好ましい。さらに具体的には、チューブ３０４の開口部３０４ａの寸法Ｄは、着脱側コネクタ７１ａの長手方向がハーネス３００の長手方向に対して略平行になるように、着脱側コネクタ７１ａの向きを変更させた状態で、着脱側コネクタ７１ａ及びハーネス３００が同時にチューブ３０４の開口部３０４ａに挿通可能な程度に設定されていることが好ましい。
【００９１】
換言すれば、着脱側コネクタ７１ａの長手方向がハーネス３００の長手方向に対して略平行になるように着脱側コネクタ７１ａの向きを変更させた状態の最大寸法（長手方向に対して直交する方向）をＧと仮定すると、チューブ３０４の開口部３０４ａの寸法ＤがＧと同じか、あるいはＧよれも大きいことが好ましい（寸法Ｄ≧Ｇが成立している）。
【００９２】
また、図２８に示すように、チューブ３０４の表面に、第１押さえ手段３１２の先端と係合する単数又は複数の係合孔３０６を形成してもよい。これにより、第１押さえ手段３１２の先端が係合孔３０６で係合することにより、第１押さえ手段３１２とチューブ３０４との一体性が増すため、チューブ３０４が第１押さえ手段３１２に対して位置ずれすることを防止できる。
【００９３】
［中継基板ケースの構成］
次に、中継基板ケース４９の構成について説明する。
【００９４】
中継基板ケース（ケース体）４９は、図１１に示すように、例えば前面パネル３の裏側に一体形成された取り付け部１０１の後側に、ビス（固定部材）１０２により着脱自在に固定されている。取り付け部１０１は、中継基板４８の裏面側に対向する平板部１０３と、中継基板４８の外縁部に対応して平板部１０３に立設された起立壁１０４と、平板部１０３内に設けられた複数、例えば２つの固定基部１０５と、を備えている。
【００９５】
中継基板ケース４９は、図１１〜図１５に示すように、取り付け部１０１側が開放する矩形蓋状であって、中継基板４８の外周に嵌合する周壁１０６と中継基板４８の表面側に対向する背壁１０７とを一体に備え、周壁１０６が取り付け部１０１の起立壁１０４の外側に嵌合して、その起立壁１０４の端縁が中継基板４８の裏側に当接するようになっている。
【００９６】
例えば、背壁１０７には、取り付け部１０１側の固定基部１０５に対応する複数、例えば２つの固定用凹部１１１が形成されている。各固定用凹部１１１の底部には、ビス止め用の挿通孔１１２が設けられている。固定用凹部１１１の挿通孔１１２から中継基板４８に形成された挿通孔（図示省略）を介して、ビス１０２を固定基部１０５にねじ込むことにより、中継基板ケース４９を中継基板４８と共に取り付け部１０１側に固定可能となっている。
【００９７】
また、背壁１０７には、その外縁に沿って複数の露出用凹部１１３が形成されている。各露出用凹部１１３は、背壁１０７側だけでなく周壁１０６側にも開放されており、その底部には中継基板４８側の固定側コネクタ１１４を露出させるためのコネクタ孔１１５が設けられている。本実施形態では、背壁１０７の対向する上下２つの縁部に沿って、例えば上縁側に５つ、下縁側に１つの露出用凹部１１３が設けられており、夫々１個又は複数個の固定側コネクタ１１４が配置されている。なお、２つの固定用凹部１１１は、これら上縁側と下縁側の各露出用凹部１１３の間に配置されている。
【００９８】
また、中継基板４８の上縁側に設けられた５つの固定側コネクタ１１４は、中継基板４８の板面に平行且つ外向き（上向き）に配置されている。また、下縁側の１つの固定側コネクタ１１４は、中継基板４８の板面に垂直に配置されている。各固定側コネクタ１１４には、ハーネス３００に設けられた着脱側コネクタ１１７が着脱可能に接続されるようになっている。
【００９９】
中継基板ケース４９には、中継基板４８に設けられた複数の固定側コネクタ１１４のうち、例えば上縁側中央の固定側コネクタ１１４ａと、下縁側の固定側コネクタ１１４ｂと、に対応してコネクタカバー（カバー部材）１１８が着脱自在に装着されている。
【０１００】
コネクタカバー１１８は、図１１〜図１５に示すように、中継基板ケース４９側の背壁１０７に沿う略平板状の本体部１２１と、この本体部１２１の縁部から中継基板ケース４９側の周壁１０６に沿って延設された第１離脱阻止部１２２と、中継基板ケース４９側に着脱自在に装着するためのヒンジ爪（係合部）１２３及び係合爪（係合部）１２４と、を例えば一体に備えている。
【０１０１】
本体部１２１は、少なくとも１つ、例えば全ての固定用凹部１１１を外側から略閉鎖するようにその内側のビス１０２を覆う固定部材カバー部１２１ａと、固定側コネクタ１１４ｂに接続された着脱側コネクタ（電線側コネクタ）１１７ｂの離脱方向を覆うことにより着脱側コネクタ１１７ｂの離脱を阻止する第２離脱阻止部１２１ｂと、を一体に備えている。
【０１０２】
なお、第２離脱阻止部１２１ｂは、固定側コネクタ１１４ｂに接続された着脱側コネクタ１１７ｂの背面１２５との間に、その背面１２５から引き出されているハーネス３００を逃がせる程度の隙間ができるように、例えば着脱側コネクタ１１７ｂの離脱方向に向けて浅い膨出状に形成されている。
【０１０３】
また、第２離脱阻止部１２１ｂは、着脱側コネクタ１１７ｂが設けられた露出用凹部１１３ｂに対して、背壁１０７側のみを覆い、周壁１０６側は開放されたままとなっており、その周壁１０６側の開口部が、着脱側コネクタ１１７ｂのハーネス３００を引き出すためのハーネス引出部１２６（図１５）となっている。
【０１０４】
第１離脱阻止部１２２は、固定側コネクタ１１４ａに接続された着脱側コネクタ（電線側コネクタ）１１７ａの離脱方向を覆うことにより着脱側コネクタ１１７ａの離脱を阻止するためのものであり、着脱側コネクタ１１７ａが設けられた露出用凹部１１３ａに対応して、本体部１２１の上縁側から周壁１０６に平行に延設されている。
【０１０５】
なお、第１離脱阻止部１２２は、周壁１０６との間に若干の隙間ができるように配置されており、その隙間が、着脱側コネクタ１１７ａのハーネス３００を引き出すためのハーネス引出部１２７（図１５）となっている。また、第１離脱阻止部１２２の左右両縁部には、周壁１０６との隙間を塞ぐ側板１２８が一体に形成されている。
【０１０６】
なお、第１離脱阻止部１２２は、固定側コネクタ１１４ａに接続された着脱側コネクタ１１７ａの背面１２９との間に、その背面１２９から引き出されているハーネス３００を逃がすことができる程度の隙間が形成されるように配置されている。
【０１０７】
ヒンジ爪１２３は、中継基板ケース４９側のヒンジピン１３１を両側から抱き込むように複数設けられており、またそれら各ヒンジ爪１２３の先端側は、その先端側をヒンジピン１３１に対して所定角度で相対的に嵌脱できるようになっている。
【０１０８】
なお、ヒンジピン１３１は、例えば中継基板ケース４９の背壁１０７上の例えば左右方向一端側に背壁１０７に沿って上下方向に配置されており、ヒンジ爪１２３はこれに対応して例えばコネクタカバー１１８の本体部１２１の左右方向一端側に配置されている。
【０１０９】
係合爪１２４は、コネクタカバー１１８上のヒンジ爪１２３とは反対側の端部に、中継基板ケース４９の背壁１０７に形成されたスリット状その他の被係合部１３２に対応して配置され、例えばコネクタカバー１１８の本体部１２１から面外方向に略くの字状に延設された操作片１３３の先端側に設けられている。
【０１１０】
コネクタカバー１１８は、まずヒンジ爪１２３をヒンジピン１３１に揺動自在に係合させ、更に係合爪１２４を被係合部１３２に係合させることにより、中継基板ケース４９側に装着される。
【０１１１】
また、コネクタカバー１１８には、例えば本体部１２１からその背面側に向けて突出する第１締結部１４１と、この第１締結部１４１に隣接して設けられ且つ中継基板ケース４９側の第２締結部１４２が挿通可能な挿通孔１４３と、が設けられている。第１締結部１４１は、主制御基板ケース１３側のコネクタカバー７３と同様、例えば中央に開口部１４１ａが形成された門型状で、本体部１２１に一体に設けられている。  
【０１１２】
中継基板ケース４９側の第２締結部１４２も、中央に開口部１４２ａが形成された門型状で、背壁１０７に一体に設けられており、コネクタカバー１１８を中継基板ケース４９に装着したとき、コネクタカバー１１８側の挿通孔１４３に嵌合して、第１締結部１４１と略重なる位置、大きさに形成されている。
【０１１３】
中継基板ケース４９に装着されたコネクタカバー１１８は、主制御基板ケース１３側と同様、第１締結部１４１と第２締結部１４２とが結束バンド９９により抜脱不能に結束される。
【０１１４】
なお、本実施形態では、図１５（ａ）に示すように、第１締結部１４１の結束バンド９９による結束部が、第２締結部１４２側の対応する結束部に対してコネクタカバー１１８の離脱方向に若干ずれた位置に設けられており、それら結束部同士を結束バンド９９により結束したとき、図１５（ｂ）に示すように、第１締結部１４１を第２締結部１４２側にずらす方向、即ちコネクタカバー１１８を装着方向に押し付ける方向の力が作用するように構成されている。
【０１１５】
（ハーネス及び着脱側コネクタの構成）
中継基板４８に電気的に接続されるハーネス及び着脱側コネクタの構成については、主制御基板１２に電気的に接続されるハーネス及び着脱側コネクタの構成（図２６〜図２８参照）と同様の構成である。このため、ここでの説明は省略する。
【０１１６】
（押さえ手段の構成）
図１１に示すように、第１離脱阻止部１２２及び第２離脱阻止部１２１ｂの裏面側（ハーネス側に面する表面）には、ハーネス３００を覆うチューブ３０４を押さえる押さえ手段３１０がそれぞれ設けられている。押さえ手段３１０は、引張り等によりハーネス３００を覆うチューブ３０４の位置ずれ（具体的には、ハーネス３００に対するチューブ３０４の相対移動）を防止する位置ずれ防止手段としても機能するし、さらにはチューブ３０４に引っ掛けてチューブ３０４の移動を阻止する係合手段としても機能する。押さえ手段３１０は、第１離脱阻止部１２２あるいは第２離脱阻止部１２１ｂに一体形成されていてもよいし、第１離脱阻止部１２２あるいは第２離脱阻止部１２１ｂに対して固定バンド等により別途取り付けてもよい。
【０１１７】
なお、説明の便宜上、第１離脱阻止部１２２側又は／及び第１離脱阻止部１２２の対向部位側に設けられている「押さえ手段」を『第２押さえ手段』と定義し、第２離脱阻止部１２１ｂ側又は／及び第２離脱阻止部１２１ｂの対向部位側に設けられている「押さえ手段」を『第３押さえ手段』と定義する。
【０１１８】
ここで、第２押さえ手段３１４と第３押さえ手段３１６は、いずれか一方のみが設けられている構成でもよく、あるいは両方設けられている構成でもよい。ただし、本実施形態では、両方が設けられている構成を図示する。
【０１１９】
図１１及び図１５に示すように、第２押さえ手段３１４は、第１離脱阻止部１２２と第１離脱阻止部１２２の対向部位（例えば、中継基板４８の外周に嵌合する周壁１０６）との間で、チューブ３０４を押さえるように設計されている。第２押さえ手段３１４は、第１離脱阻止部１２２側のみに設けられていてもよく、第１離脱阻止部１２２の対向部位側のみに設けられていてもよい。さらには、第２押さえ手段３１４は、第１離脱阻止部１２２側及び第１離脱阻止部１２２の対向部位側の両方に設けられている構成でもよい。本実施形態では、第２押さえ手段３１４は、第１離脱阻止部１２２側のみに設けられている構成を図示する。
【０１２０】
また、第３押さえ手段３１６は、第２離脱阻止部１２１ｂと第２離脱阻止部１２１ｂの対向部位（例えば、中継基板ケース４９の一部分）との間で、チューブ３０４を押さえるように設計されている。第３押さえ手段３１６は、第２離脱阻止部１２１ｂ側のみに設けられていてもよく、第２離脱阻止部１２１ｂの対向部位側のみに設けられていてもよい。さらには、第３押さえ手段３１６は、第２離脱阻止部１２１ｂ側及び第２離脱阻止部１２１ｂの対向部位側の両方に設けられている構成でもよい。本実施形態では、第３押さえ手段３１６は、第２離脱阻止部１２１ｂ側のみに設けられている構成を図示する。
【０１２１】
第２押さえ手段３１４は、第１離脱阻止部１２２側又は／及び第１離脱阻止部１２２側の対向部位側に、単数（１個）だけ設けられていてもよいし、あるいは複数個設けられていてもよい。
【０１２２】
第３押さえ手段３１６は、第２離脱阻止部１２１ｂ側又は／及び第２離脱阻止部１２１ｂの対向部位側に、単数（１個）だけ設けられていてもよいし、あるいは複数個設けられていてもよい。
【０１２３】
第２押さえ手段３１４及び第３押さえ手段３１６が複数個設けられる構成では、第２押さえ手段３１４及び第３押さえ手段３１６は、ハーネス３００の長手方向あるいはチューブ３０４の長手方向に沿って並んで形成されている態様（直列態様）でもよい。また、第２押さえ手段３１４及び第３押さえ手段３１６は、ハーネス３００の長手方向あるいはチューブ３０４の長手方向に対して直交する方向に沿って並んで形成されている態様（並列態様）でもよい。
【０１２４】
第２押さえ手段３１４及び第３押さえ手段３１６の一例として、例えば、チューブ３０４に当接する突起部が好ましい。突起部の先端をチューブ３０４に引っ掛けることが可能になる。
【０１２５】
この場合も、図２８と同様にして、チューブ３０４の表面に、第２押さえ手段３１４及び第３押さえ手段３１６の先端と係合する単数又は複数の係合孔（図示省略）を形成してもよい。これにより、第２押さえ手段３１４及び第３押さえ手段３１６の先端がチューブ３０４側の係合孔３０６で係合することにより、第２押さえ手段３１４及び第３押さえ手段３１６とチューブ３０４との一体性が増すため、チューブ３０４が各押さえ手段３１４、３１６に対して位置ずれすることを防止できる。
【０１２６】
さらに、単数又は複数の第２押さえ手段３１４及び第３押さえ手段３１６が中継基板ケース４９側にも設けられている構成を採用してもよい。
【０１２７】
（押さえ手段の寸法設定）
第２押さえ手段３１４及び第３押さえ手段３１６の寸法設定（離間距離寸法）については、チューブ３０４との関係で、第１押さえ手段３１２の寸法設定の場合と同様に考えることができる。同様にして、第２押さえ手段３１４及び第３押さえ手段３１６のそれぞれに３つのパターンが考えられるが、内容が重複するため、説明を省略する。
【０１２８】
なお、図示しないが、コネクタカバー１１８には、単数又は複数の離脱規制リブ（離脱阻止部）が設けられている構成でもよい。離脱規制リブは、固定側コネクタ１１４（１１４ａ、１１４ｂ）に接続された着脱側コネクタ１１７（１１７ａ、１１７ｂ）にその離脱方向から略当接することにより着脱側コネクタ１１７（１１７ａ、１１７ｂ）の離脱方向への移動を規制するものである。
【０１２９】
なお、離脱規制リブは、着脱側コネクタ１１７（１１７ａ、１１７ｂ）側のハーネス３００及びチューブ３０４に干渉しない位置に設けられている。
【０１３０】
［スタートレバーユニットの構成］
次に、スタートレバーユニットの構成について説明する。
【０１３１】
スタートレバーユニット３９は、図１６に示すように、例えば前操作パネル部２７に設けられた取り付け部１５１に対して前面パネル３の後側から装着され、ビス（固定部材）１５２により着脱自在に固定されている。取り付け部１５１は、前操作パネル部２７に形成された開口部１５３と、この開口部１５３を取り囲むように前操作パネル部２７から後方に突設される例えば筒状の突設部１５４と、この突設部１５４の後端側に設けられる複数、例えば４つの固定基部１５５と、を備えている。
【０１３２】
スタートレバーユニット３９は、図１６、図１８〜図２０に示すように、本体ケース
（ケース体）１６１と、この本体ケース１６１の前端側に上下方向揺動自在に装着されたスタートレバー３８と、本体ケース１６１に例えば鍔状に一体形成され且つ取り付け部１５１側の固定基部１５５に対応する複数の挿通孔１６２を備えたフランジ部１６３と、本体ケース１６１内に配置された基板１６４と、等を備えている。スタートレバーユニット３９は、スタートレバー３８を開口部１５３から前操作パネル部２７の前側に突出させた状態で、ビス１５２を挿通孔１６２を介して固定基部１５５にねじ込むことにより、取り付け部１５１に着脱自在に固定されている。
【０１３３】
本体ケース１６１は、略円筒状、その他の筒状に形成された前後方向の筒状部１６５と、スタートレバー３８の軸部が揺動可能に嵌合する縦長状の案内孔（図示省略）が形成され且つ筒状部１６５の前端側を略閉鎖する前壁部１６６と、筒状部１６５の後端側を略閉鎖する後壁部１６７と、を備えており、筒状部１６５上の前後方向所定位置、例えば中間部よりも後端側の位置にフランジ部１６３が一体に形成されている。
【０１３４】
筒状部１６５には、例えばフランジ部１６３と後端部との間の周方向所定位置、例えば左右方向一方側に、基板１６４に設けられた固定側コネクタ１６８を露出させるためのコネクタ孔１６９が形成されている。基板１６４は、筒状部１６５の後端側近傍に例えば後壁部１６７と平行に配置されており、固定側コネクタ１６８はその基板１６４の前面に、基板１６４の板面に平行且つ外向きに配置され、その先端側がコネクタ孔１６９から露出している。固定側コネクタ１６８には、ハーネス３００に設けられた着脱側コネクタ（電線側コネクタ）１７１がコネクタ孔１６９を介して着脱可能に接続されるようになっている。
【０１３５】
また、コネクタ孔１６９の近傍には、コネクタカバー（カバー部材）１７２を着脱方向に案内するためのガイドレール１７３が設けられている。ガイドレール１７３は、コネクタカバー１７２を、例えば着脱側コネクタ１７１の着脱方向に直交する方向（ここでは前後方向）に案内すべく、コネクタ孔１６９に対して着脱方向の両側（ここでは上下両側）に張り出す鍔状に形成されており、その前端側はフランジ部１６３まで延設されている。
【０１３６】
スタートレバーユニット３９に装着されるコネクタカバー１７２は、図１６〜図２０に示すように、着脱側コネクタ１７１の着脱方向に直交する板状に形成され且つ固定側コネクタ１６８に装着された着脱側コネクタ１７１の背面１７４側を覆う離脱阻止部１８１と、この離脱阻止部１８１の装着方向後縁部から本体ケース１６１側に延設された後壁部１８２と、離脱阻止部１８１の着脱方向側縁部から本体ケース１６１側に延設された一対の側壁部１８３と、を一体に備えている。
【０１３７】
図１７に示すように、側壁部１８３の内面側には、本体ケース１６１側のガイドレール１７３に対応する被ガイド部１８４が一体に設けられている。この被ガイド部１８４は、例えばガイドレール１７３の両側に対応して立設された一対の突条部１８４ａにより構成されており、コネクタカバー１７２は、例えば側壁部１８３の前端側がフランジ部１６３に当接するまでこの被ガイド部１８４をガイドレール１７３に沿って前向きに摺動させることによりスタートレバーユニット３９に装着される。
【０１３８】
離脱阻止部１８１は、固定側コネクタ１６８に接続された着脱側コネクタ１７１の離脱方向を覆うことにより着脱側コネクタ１７１の離脱を阻止するためのもので、コネクタカバー１７２をスタートレバーユニット３９に装着したとき、固定側コネクタ１６８に接続された着脱側コネクタ１７１の背面１７４との間に、その背面１７４から引き出されているハーネス３００を逃がすことができる程度の隙間が形成されるように配置されている。
【０１３９】
さらに、コネクタカバー１７２をスタートレバーユニット３９に装着したとき、離脱阻止部１８１の装着方向前端側とフランジ部１６３との間には若干の隙間ができるようになっており、その隙間が、着脱側コネクタ１７１のハーネス３００を引き出すためのハーネス引出部１８５（図２０（ｂ））となっている。
【０１４０】
また、コネクタカバー１７２には、第１締結部１８６が、例えば後壁部１８２の端縁から装着方向後側に向けて突設されている。第１締結部１８６は、例えば中央に開口部１８６ａが形成された門型状で、コネクタカバー１７２に一体に形成されている。
【０１４１】
スタートレバーユニット３９側には、第１締結部１８６に対応する第２締結部１８７が一体に形成されている。この第２締結部１８７も、中央に開口部１８７ａが形成された門型状で、コネクタカバー１７２をスタートレバーユニット３９に装着したとき、コネクタカバー１７２側の第１締結部１８６と略重なる位置、大きさに形成されている。
【０１４２】
スタートレバーユニット３９に装着されたコネクタカバー１７２は、主制御基板ケース１３側、中継基板ケース４９側と同様、第１締結部１８６と第２締結部１８７とが結束バンド９９により抜脱不能に結束される。  
【０１４３】
（ハーネス及び着脱側コネクタの構成）
基板１６４に電気的に接続されるハーネス及び着脱側コネクタの構成については、主制御基板１２に電気的に接続されるハーネス及び着脱側コネクタの構成（図２６〜図２８参照）と同様の構成である。このため、ここでの説明は省略する。
【０１４４】
（押さえ手段の構成）
コネクタカバー１７２の離脱阻止部１８１の裏面側（ハーネス側に面する表面）には、ハーネス３００を覆うチューブ３０４を押さえる押さえ手段３１０が設けられている。押さえ手段３１０は、引張り等によりハーネス３００を覆うチューブ３０４の位置ずれ（具体的には、ハーネス３００に対するチューブ３０４の相対移動）を防止する位置ずれ防止手段としても機能するし、さらにはチューブ３０４に引っ掛けてチューブ３０４の移動を阻止する係合手段としても機能する。押さえ手段３１０は、コネクタカバー１７２の離脱阻止部１８１に一体形成されていてもよいし、離脱阻止部１８１に対して固定バンド等により別途取り付けてもよい。
【０１４５】
なお、説明の便宜上、コネクタカバー１７２の離脱阻止部１８１側又は／及び離脱阻止部１８１の対向部位側に設けられている「押さえ手段」を『第４押さえ手段』と定義する。
【０１４６】
図１７及び図２０に示すように、第４押さえ手段３１８は、離脱阻止部１８１と離脱阻止部１８１の対向部位（例えば、スタートレバーユニット３９のフランジ部１６３）との間で、チューブ３０４を押さえるように設計されている。第４押さえ手段３１８は、離脱阻止部１８１側のみに設けられていてもよく、離脱阻止部１８１の対向部位側のみに設けられていてもよい。さらには、第４押さえ手段３１８は、離脱阻止部１８１側及び離脱阻止部１８１の対向部位側の両方に設けられている構成でもよい。本実施形態では、第４押さえ手段３１８は、離脱阻止部１８１側のみに設けられている構成を図示する。
【０１４７】
第４押さえ手段３１８は、離脱阻止部１８１側又は／及び離脱阻止部１８１の対向部位側に、単数（１個）だけ設けられていてもよいし、あるいは複数個設けられていてもよい。
【０１４８】
第４押さえ手段３１８が複数個設けられる構成では、第４押さえ手段３１８は、ハーネス３００の長手方向あるいはチューブ３０４の長手方向に沿って並んで形成されている態様（直列態様）でもよい。また、第４押さえ手段３１８は、ハーネス３００の長手方向あるいはチューブ３０４の長手方向に対して直交する方向に沿って並んで形成されている態様（並列態様）でもよい。
【０１４９】
第４押さえ手段３１８の一例として、例えば、チューブ３０４に当接する突起部が好ましい。突起部の先端をチューブ３０４に引っ掛けることが可能になる。
【０１５０】
この場合も、チューブ３０４の表面に、第４押さえ手段３１８の先端と係合する単数又は複数の係合孔（図示省略）を形成してもよい。これにより、第４押さえ手段３１８の先端がチューブ３０４側の係合孔３０６で係合することにより、第４押さえ手段３１８とチューブ３０４との一体性が増すため、チューブ３０４が第４押さえ手段３１８に対して位置ずれすることを防止できる。
【０１５１】
さらに、単数又は複数の第４押さえ手段３１８がスタートレバーユニット３９のフランジ部１６３側にも設けられている構成を採用してもよい。
【０１５２】
（押さえ手段の寸法設定）
第４押さえ手段３１８の寸法設定（離間距離寸法）については、チューブ３０４との関係で、第１押さえ手段３１２の寸法設定の場合と同様に考えることができる。同様にして、第４押さえ手段３１８についても、３つのパターンが考えられるが、内容が重複するため、説明を省略する。
【０１５３】
なお、図示しないが、コネクタカバー１７２には、単数又は複数の離脱規制リブ（離脱阻止部）が設けられている構成でもよい。離脱規制リブは、固定側コネクタ１６８に接続された着脱側コネクタ１７１にその離脱方向から略当接することにより着脱側コネクタ１７１の離脱方向への移動を規制するものである。
【０１５４】
なお、離脱規制リブは、着脱側コネクタ１７１側のハーネス３００及びチューブ３０４に干渉しない位置に設けられている。
【０１５５】
［ストップボタンユニットの構成］
次に、ストップボタンユニットの構成について説明する。
【０１５６】
ストップボタンユニット４１は、図２１に示すように、例えば前操作パネル部２７に設けられた取り付け部１９１に前面パネル３の前側から装着され、前操作パネル部２７の裏側からビス１９２により着脱自在に固定されている。取り付け部１９１は、前操作パネル部２７の前面側に形成された装着凹部１９３と、この装着凹部１９３に形成された開口部１９４及び挿通孔１９５と、を備えている。
【０１５７】
ストップボタンユニット４１は、図２１〜図２５に示すように、３つのストップボタン４０と、これらストップボタン４０をその軸方向（本実施形態では前後方向）に移動可能に収容する本体ケース２０１と、この本体ケース２０１内に配置された基板２０２と、本体ケース２０１の前側に装着され且つ裏側に固定基部２０３が突設された前カバー２０４等を備え、本体ケース２０１を開口部１９４に前側から挿入しつつ前カバー２０４を装着凹部１９３に嵌合させた状態で、ビス１９２を挿通孔１９５を介して固定基部２０３にねじ込むことにより、取り付け部１９１に着脱自在に固定されている。
【０１５８】
本体ケース２０１は、横長扁平状の筒形に形成された前後方向の筒状部２０５と、その筒状部２０５の前端側を略閉鎖するように例えば筒状部２０５に一体に形成された前壁部２０５ａ（図２４，図２５）と、筒状部２０５の後端側を略閉鎖するように筒状部２０５に着脱自在に装着される後壁部２０６と、を備え、その内部の例えば後端側に基板２０２が収容されている。後壁部２０６は、ビス止め用の挿通孔２０７を１又は複数、例えば２つ備えており、図２５に示すように、その裏側からビス（結合部材）２０８を挿通孔２０７、基板２０２側の挿通孔を介して例えば前壁部２０５ａ側の固定基部２１０にねじ込むことにより筒状部２０５側に固定されるようになっている。
【０１５９】
筒状部２０５には、例えばその後端側の周方向所定位置、例えば下面側に、基板２０２に設けられた固定側コネクタ２１１を露出させるためのコネクタ孔２１２が形成されている。固定側コネクタ２１１は、基板２０２の前面に、基板２０２の板面に平行且つ外向きに配置されており、ハーネス３００に設けられた着脱側コネクタ（電線側コネクタ）２１４がコネクタ孔２１２を介して着脱可能に接続されるようになっている。
【０１６０】
また、本体ケース２０１には、例えば後壁部２０６の裏側に、コネクタカバー（カバー部材）２１５を着脱方向に案内するための一対のガイドレール２１６が設けられている。このガイドレール２１６は、コネクタカバー２１５を、例えば着脱側コネクタ２１４の着脱方向（ここでは上下方向）に案内すべく、コネクタ孔２１２の左右両側に対応する位置に上下方向に配置されており、夫々後壁部２０６から略垂直に起立する起立部２１６ａと、その起立部２１６ａの端縁から互いに対向する方向に延設された延設部２１６ｂと、で断面Ｌ字形に形成されている。
【０１６１】
ストップボタンユニット４１に装着されるコネクタカバー２１５は、例えば後壁部２０６に沿う略平板状の本体部２２１と、この本体部２２１の縁部から筒状部２０５の外周面に沿って延設された離脱阻止部２２２と、を例えば一体に備えている。
【０１６２】
本体部２２１は、後壁部２０６側の複数の挿通孔２０７のうちの少なくとも１つを外側から閉鎖することによりビス２０８を覆う結合部材カバー部２２３を一体に備えると共に、その両側縁部には、本体ケース２０１側のガイドレール２１６により上下方向摺動自在に保持される被ガイド部２２４が一体形成されている。この被ガイド部２２４は、例えば本体部２２１から左右方向に張り出すように一体に形成され且つ断面Ｌ字形のガイドレール２１６により上下方向摺動自在に保持される鍔状部２２４ａと、一対のガイドレール２１６の互いに対向する内縁部に沿って本体部２２１に立設される突条部２２４ｂと、を備えている。
【０１６３】
離脱阻止部２２２は、固定側コネクタ２１１に接続された着脱側コネクタ２１４の離脱方向を覆うことにより着脱側コネクタ２１４の離脱を阻止するためのもので、コネクタ孔２１２に対応して本体部２２１の下縁側から筒状部２０５の外周面に沿って着脱側コネクタ２１４の着脱方向に略直交するように前向きに延設されている。なお、離脱阻止部２２２は、筒状部２０５との間に若干の隙間ができるように配置されており、その隙間が、着脱側コネクタ２１４のハーネス３００を引き出すためのハーネス引出部２２５となっている。また、離脱阻止部２２２の左右両縁部には、筒状部２０５との隙間を塞ぐ側板２２６が一体に形成されている。
【０１６４】
なお、離脱阻止部２２２は、固定側コネクタ２１１に接続された着脱側コネクタ２１４の背面２２７との間に、その背面２２７から引き出されているハーネス３００を逃がすことができる程度の隙間が形成されるように配置されている。
【０１６５】
また、コネクタカバー２１５には、第１締結部２２８が、例えば本体部２２１の装着方向の端縁から面外方向に突設されている。第１締結部２２８は、例えば中央に開口部２２８ａが形成された門型状で、コネクタカバー２１５に一体に形成されている。
【０１６６】
ストップボタンユニット４１側には、この第１締結部２２８に対応する第２締結部２２９が、例えば後壁部２０６の背面側に一体に形成されている。この第２締結部２２９も、中央に開口部２２９ａが形成された門型状で、コネクタカバー２１５をストップボタンユニット４１に装着したとき、コネクタカバー２１５側の第１締結部２２８と略重なる位置、大きさに形成されている。
【０１６７】
ストップボタンユニット４１に装着されたコネクタカバー２１５は、主制御基板ケース１３側、中継基板ケース４９側、スタートレバーユニット３９側と同様、第１締結部２２８と第２締結部２２９とが結束バンド９９により抜脱不能に結束される。
【０１６８】
（ハーネス及び着脱側コネクタの構成）
基板２０２に電気的に接続されるハーネス及び着脱側コネクタの構成については、主制御基板１２に電気的に接続されるハーネス及び着脱側コネクタの構成（図２６〜図２８参照）と同様の構成である。このため、ここでの説明は省略する。
【０１６９】
（押さえ手段の構成）
コネクタカバー２１５の離脱阻止部２２２の裏面側（ハーネス側に面する表面）には、ハーネス３００を覆うチューブ３００を押さえる押さえ手段３１０が設けられている。押さえ手段３１０は、引張り等によりハーネス３００を覆うチューブ３０４の位置ずれ（具体的には、ハーネス３００に対するチューブ３０４の相対移動）を防止する位置ずれ防止手段としても機能するし、さらにはチューブ３０４に引っ掛けてチューブ３０４の移動を阻止する係合手段としても機能する。押さえ手段３１０は、コネクタカバー２１５の離脱阻止部２２２に一体形成されていてもよいし、離脱阻止部２２２に対して固定バンド等により別途取り付けてもよい。
【０１７０】
なお、説明の便宜上、コネクタカバー２１５の離脱阻止部２２２側又は／及び離脱阻止部２２２の対向部位側に設けられている「押さえ手段」を『第５押さえ手段』と定義する。
【０１７１】
図２４及び図２５に示すように、第５押さえ手段３２０は、離脱阻止部２２２と離脱阻止部２２２の対向部位（例えば、スタートボタンユニット４１の本体ケース２０１の筒状部２０５）との間で、チューブ３０４を押さえるように設計されている。第５押さえ手段３２０は、離脱阻止部２２２側のみに設けられていてもよく、離脱阻止部２２２の対向部位側のみに設けられていてもよい。さらには、第５押さえ手段３２０は、離脱阻止部２２２側及び離脱阻止部２２２の対向部位側の両方に設けられている構成でもよい。本実施形態では、第５押さえ手段３２０は、離脱阻止部２２２側のみに設けられている構成を図示する。
【０１７２】
第５押さえ手段３２０は、離脱阻止部２２２側又は／及び離脱阻止部２２２の対向部位側に、単数（１個）だけ設けられていてもよいし、あるいは複数個設けられていてもよい。
【０１７３】
第５押さえ手段３２０が複数個設けられる構成では、第５押さえ手段３２０は、ハーネス３００の長手方向あるいはチューブ３０４の長手方向に沿って並んで形成されている態様（直列態様）でもよい。また、第５押さえ手段３２０は、ハーネス３００の長手方向あるいはチューブ３０４の長手方向に対して直交する方向に沿って並んで形成されている態様（並列態様）でもよい。
【０１７４】
第５押さえ手段３２０の一例として、例えば、チューブ３０４に当接する突起部が好ましい。突起部の先端をチューブ３０４に引っ掛けることが可能になる。
【０１７５】
この場合も、チューブ３０４の表面に、第５押さえ手段３２０の先端と係合する単数又は複数の係合孔（図示省略）を形成してもよい。これにより、第５押さえ手段３２０の先端がチューブ３０４側の係合孔３０６で係合することにより、第５押さえ手段３２０とチューブ３０４との一体性が増すため、チューブ３０４が第５押さえ手段３２０に対して位置ずれすることを防止できる。
【０１７６】
さらに、単数又は複数の第５押さえ手段３２０がスタートボタンユニット４１の本体ケース２０１の筒状部２０５側にも設けられている構成を採用してもよい。
【０１７７】
（押さえ手段の寸法設定）
第５押さえ手段３２０の寸法設定（離間距離寸法）については、チューブ３０４との関係で、第１押さえ手段３１２の寸法設定の場合と同様に考えることができる。同様にして、第５押さえ手段３２０についても、３つのパターンが考えられるが、内容が重複するため、説明を省略する。
【０１７８】
なお、図示しないが、コネクタカバー２１５には、単数又は複数の離脱規制リブ（離脱阻止部）が設けられている構成でもよい。離脱規制リブは、固定側コネクタ２１１に接続された着脱側コネクタ２１４にその離脱方向から略当接することにより着脱側コネクタ２１４の離脱方向への移動を規制するものである。
【０１７９】
なお、離脱規制リブは、着脱側コネクタ２１４側のハーネス３００及びチューブ３０４に干渉しない位置に設けられている。
【０１８０】
以上のように、本実施形態の遊技機によれば、図２６〜図２８に示すように、チューブ３０４の開口部３０４ａの寸法Ｄが着脱側コネクタ（一例として「７１ａ」）の挿通が可能な程度に設定されているため、ハーネス３００の両側に着脱側コネクタ（一例として「７１ａ」）を接続した状態でチューブ３０４に挿通させることができる。これにより、ハーネス３００をチューブ３０４に挿通させた後において、ハーネス３００と着脱側コネクタ（一例として「７１ａ」）の接続端子との間を接続させる接続工程が不要になる。この結果、ハーネス３００に対する不正行為を抑制するとともに、ハーネス３００と着脱側コネクタ（一例として「７１ａ」）との間の接続不良を防止し、かつ遊技機の製造作業の効率の向上させることができる。
【０１８１】
特に、チューブ３０４の開口部３０４ａの寸法Ｄが、着脱側コネクタ（一例として「７１ａ」）がハーネス３００に対して向きを変更させたことにより挿通可能な程度に設定されている。このため、着脱側コネクタ（一例として「７１ａ」）のハーネス３００に対する向きを変更させることにより、ハーネス３００に着脱側コネクタ（一例として「７１ａ」）を接続させた状態で、チューブ３０４に挿通させることができる。この結果、チューブ３０４の開口寸法Ｄを小さくすることができるとともに、ハーネス３００及び着脱側コネクタ（一例として「７１ａ」）の挿通を可能にすることができるため、防犯機能を兼ねた状態で、遊技機の製造効率を向上させることができる。
【０１８２】
さらに具体的には、チューブ３０４の開口部３０４ａの寸法Ｄが、着脱側コネクタ（一例として「７１ａ」）の長手方向がハーネス３００の長手方向に対して略平行になるように、着脱側コネクタ（一例として「７１ａ」）の向きを変更させたことにより挿通可能な程度に設定されている。これにより、着脱側コネクタ（一例として「７１ａ」）の長手方向がハーネス３００の長手方向に対して略平行になるように調整することにより、ハーネス３００に着脱側コネクタ（一例として「７１ａ」）を接続させた状態で、チューブ３０４に挿通させることができる。この構成では、チューブ３０４の開口寸法Ｄを必要最小限の寸法にすることができ、防犯機能を高めることができる。
【０１８３】
なお、ハーネス３００の長手方向両側端部に着脱側コネクタ（一例として「７１ａ」）が接続された状態で、ハーネス３００及び両側の着脱側コネクタ（一例として「７１ａ」）をチューブ３０４に挿通させた後、ハーネス３００を各基板に電気的に接続するだけで、各基板間の信号送受信可能状態を容易に実現することができる。
【０１８４】
このようにハーネス３００と着脱側コネクタ（一例として「７１ａ」）の接続端子との接続が予め完了した後に、ハーネス３００をチューブ３０４に挿通させているため、ハーネス３００をチューブ３０４に挿通させた後のハーネス３００と着脱側コネクタ（一例として「７１ａ」）との接続工程が不要になる。そこで、ハーネス３００を構成する複数の各信号線３０２の色が同じ色に着色されている構成でも、ハーネス３００の接続不良を防止できる。この結果、着脱側コネクタ（一例として「７１ａ」）の接続端子との対応関係を色で判別するために信号線３０２毎に異なる色をわざわざ着色させる必要がなくなり、遊技機の製造効率を向上させることができる。
【０１８５】
また、図２９〜図３６に示すように、各コネクタカバー７３、１１８、１７２、２１５とその対向部位との隙間に、ハーネス３００及びチューブ３０４に当接し引き抜きを阻止する各押さえ手段３１０が設けられているため、ハーネス３００をチューブ３０４で覆っている状態でチューブ３０４だけが引抜き方向（図２９〜図３６中矢印Ａ方向）に引っ張られた場合でも、チューブ３０４がハーネス３００に対して相対移動することを防止できる。これにより、ハーネス３００が露出することを防止できるため、ハーネス３００に対して不正信号が付与されることを防止できる。この結果、不正行為を抑制することができる。
【０１８６】
各押さえ手段３１０が複数設けられているため、ハーネス３００をチューブ３０４で覆っている状態でチューブ３０４だけが引っ張られた場合でも、チューブ３０４がハーネス３００に対して相対移動することを一層効果的に防止することができる。
【０１８７】
各押さえ手段３１０が突起部であることにより、各押さえ手段３１０とチューブ３０４との接触面積を小さくすることができる。これにより、押さえ手段３１０によりチューブ３０４を引っ掛けることが可能になり、チューブ３０４の引き抜きを効果的に阻止することができる。特に、突起部の先端が尖っている形状することにより、チューブ３０４を引き抜こうとすると、突起部の先端がチューブ３０４に食い込むため、チューブ３０４の引抜き防止効果を高めることができる。
【０１８８】
押さえ手段３１０がコネクタカバー７３、１１８、１７２、２１５側に設けられている場合において、ハーネス３００及びチューブ３０４が引き出される押さえ手段３１０の先端とコネクタカバー７３、１１８、１７２、２１５の対向部位との隙間の寸法がハーネス３００を挿通したチューブ３０４の太さよりも小さく設定されていることにより、チューブ３０４を挟持することができる。これにより、チューブ３０４の引き抜きを効果的に阻止することができる。
【０１８９】
押さえ手段３１０がコネクタカバー７３、１１８、１７２、２１５の対向部位側に設けられている場合において、ハーネス３００及びチューブ３０４が引き出される押さえ手段３１０の先端とコネクタカバー７３、１１８、１７２、２１５との隙間の寸法がハーネス３００を挿通したチューブ３０４の太さよりも小さく設定されていることにより、チューブ３０４を挟持することができる。これにより、チューブ３０４の引き抜きを効果的に阻止することができる。
【０１９０】
コネクタカバー７３、１１８、１７２、２１５が着脱側コネクタ７１ａ、１１７ａ、１１７ｂ、１７１、２１４に当接して着脱側コネクタ７１ａ、１１７ａ、１１７ｂ、１７１、２１４の離脱を阻止する離脱規制部８１を有することにより、着脱側コネクタ７１ａ、１１７ａ、１１７ｂ、１７１、２１４の離脱あるいは引抜きを阻止することができる。これにより、着脱側コネクタ７１ａ、１１７ａ、１１７ｂ、１７１、２１４の脱着あるいは取替えを伴う不正行為を防止することができる。
【０１９１】
以上、本発明の実施形態について詳述したが、本発明はこれらの実施形態に限定されるものではなく、本発明の趣旨を逸脱しない範囲で種々の変更が可能である。
【０１９２】
例えば、実施形態で例示したような各種コネクタカバーを、固定側コネクタを備えた基板を収容する他の部品、例えば表示リールユニット６、ドライバ基板ケース４６、制御基板ケース４７、メダル払い出し手段８、ベットボタン３４，３５、精算ボタン、設定変更スイッチ基板等に設けてもよい。
【０１９３】
さらに、実施形態では本発明をスロットマシンに適用した例を示したが、パチンコ機、アレンジボール機等の各種遊技機の各基板に接続するハーネス及び各基板ケースに設けられるコネクタカバーに適用できることは言うまでもない。
【符号の説明】
【０１９４】
１２      主制御基板（基板）
１３      主制御基板ケース（収容部材）
３９      スタートレバーユニット（収容部材）
４１      ストップボタンユニット（収容部材）
４８      中継基板（基板）
４９      中継基板ケース（収容部材）
６８ａ    固定側コネクタ
７１ａ    着脱側コネクタ（電線側コネクタ）
７３      コネクタカバー（カバー部材）
７７ａ    係合爪  
７９      凹入開口部
８１      離脱規制リブ（離脱規制部）
８２      解除規制リブ
８４      ロック手段
９２      第１締結部
９３      第２締結部
９９      結束バンド
９９ａ    バンド部
９９ｂ    ヘッド部
９９ｃ    タグ
１０２    ビス
１１４ａ  固定側コネクタ
１１４ｂ  固定側コネクタ
１１７ａ  着脱側コネクタ（電線側コネクタ）
１１７ｂ  着脱側コネクタ（電線側コネクタ）
１１８    コネクタカバー（カバー部材）
１２１ａ  固定部材カバー部
１２１ｂ  第２離脱阻止部
１２２    第１離脱阻止部
１２３    ヒンジ爪
１２６    ハーネス引出部
１２７    ハーネス引出部
１４１    第１締結部
１４２    第２締結部
１５２    ビス
１６４    基板
１６８    固定側コネクタ
１７１    着脱側コネクタ（電線側コネクタ）
１７２    コネクタカバー（カバー部材）
１８１    離脱阻止部
１８５    ハーネス引出部
１８６    第１締結部
１８７    第２締結部
２０２    基板
２０８    ビス
２１１    固定側コネクタ
２１４    着脱側コネクタ（電線側コネクタ）
２１５    コネクタカバー（カバー部材）
２２２    離脱阻止部
２２３    接合部材カバー部
２２５    ハーネス引出部
２２８    第１締結部
２２９    第２締結部
２３１    固定部材カバー部
３００    ハーネス（電線）
３０２    信号線
３０４    チューブ（挿通部材）
３０４ａ  開口部
３０６    係合孔
３１０    押さえ手段
３１２    第１押さえ手段
３１４    第２押さえ手段
３１６    第３押さえ手段
３１８    第４押さえ手段
３２０    第５押さえ手段
Ｄ        チューブ（挿通部材）の開口部の寸法
Ｓ１      カバー部材側の押さえ手段とカバー部材の対向部位との離間距離寸法
Ｓ２      カバー部材の対向部位側の押さえ手段とカバー部材との離間距離寸法
Ｓ３      カバー部材側の押さえ手段とカバー部材の対向部位との離間距離寸法
Ｓ４      カバー部材の対向部位側の押さえ手段とカバー部材との離間距離寸法
Ｓ５      カバー部材側の押さえ手段とカバー部材の対向部位側の押さえ手段との離間距離寸法
Ｔ        チューブ（挿通部材）の太さ寸法
【図１】
2014033905.tif 000003
【図２】
2014033905.tif 000004
【図３】
2014033905.tif 000005
【図４】
2014033905.tif 000006
【図５】
2014033905.tif 000007
【図６】
2014033905.tif 000008
【図７】
2014033905.tif 000009
【図８】
2014033905.tif 000010
【図９】
2014033905.tif 000011
【図１０】
2014033905.tif 000012
【図１１】
2014033905.tif 000013
【図１２】
2014033905.tif 000014
【図１３】
2014033905.tif 000015
【図１４】
2014033905.tif 000016
【図１５】
2014033905.tif 000017
【図１６】
2014033905.tif 000018
【図１７】
2014033905.tif 000019
【図１８】
2014033905.tif 000020
【図１９】
2014033905.tif 000021
【図２０】
2014033905.tif 000022
【図２１】
2014033905.tif 000023
【図２２】
2014033905.tif 000024
【図２３】
2014033905.tif 000025
【図２４】
2014033905.tif 000026
【図２５】
2014033905.tif 000027
【図２６】
2014033905.tif 000028
【図２７】
2014033905.tif 000029
【図２８】
2014033905.tif 000030
【図２９】
2014033905.tif 000031
【図３０】
2014033905.tif 000032
【図３１】
2014033905.tif 000033
【図３２】
2014033905.tif 000034
【図３３】
2014033905.tif 000035
【図３４】
2014033905.tif 000036
【図３５】
2014033905.tif 000037
【図３６】
2014033905.tif 000038